(57)【要約】【課題】宝飾品の外観を損なうことなく、これに簡単に装着することができる無線ＩＣタグおよびこれを用いた送受信システムを提供する。【解決手段】索状体３を挿通するために宝飾品本体に貫通形成した貫通孔４に装着される宝飾品６用の無線ＩＣタグ１０であって、情報を記憶するＩＣチップ（ＲＦＩＤチップ１２）と、ＩＣチップに接続され、前記情報の送受信を非接触で行うためのアンテナ１３と、ＩＣチップおよびアンテナ１３を保持する保持部材１４と、を備え、保持部材１４は、索状体３が挿通可能な状態で貫通孔４に装着される。【選択図】図２
2011070493.tif 000002
【特許請求の範囲】
【請求項１】
索状体を挿通するために宝飾品本体に貫通形成した貫通孔に装着される宝飾品用の無線ＩＣタグであって、
情報を記憶するＩＣチップと、
前記ＩＣチップに接続され、前記情報の送受信を非接触で行うためのアンテナと、
前記ＩＣチップおよび前記アンテナを保持する保持部材と、を備え、
前記保持部材は、前記索状体が挿通可能な状態で前記貫通孔に装着されることを特徴とする無線ＩＣタグ。
【請求項２】
前記貫通孔は、円孔であり、
前記保持部材は、前記貫通孔と同形の外径を有する円筒状に形成されていることを特徴とする請求項１に記載の無線ＩＣタグ。
【請求項３】
前記貫通孔は、円孔であり、
前記保持部材は、断面が略半円の棒状に形成されていることを特徴とする請求項１に記載の無線ＩＣタグ。
【請求項４】
前記ＩＣチップおよび前記アンテナは、前記保持部材に埋め込まれていることを特徴とする請求項１ないし３のいずれかに記載の無線ＩＣタグ。
【請求項５】
前記アンテナは、前記保持部材に巻回するように、前記保持部材に埋め込まれていることを特徴とする請求項１ないし４のいずれかに記載の無線ＩＣタグ。
【請求項６】
前記アンテナは、前記索状体に沿うように、前記保持部材から外側に延在していることを特徴とする請求項１ないし４のいずれかに記載の無線ＩＣタグ。
【請求項７】
前記ＩＣチップは、前記保持部材に埋め込まれて、
前記アンテナは、前記保持部材の外面にパターニングされていることを特徴とする請求項１ないし３のいずれかに記載の無線ＩＣタグ。
【請求項８】
前記宝飾品は、宝飾品本体である真珠の複数個を索状体で連結した真珠商品であり、
複数個の前記真珠のうちの少なくとも任意の１の前記真珠に装着された請求項１ないし７のいずれかに記載の無線ＩＣタグと、
前記アンテナを介して、前記ＩＣチップに情報の読み書きを行うリーダーライターと、を備え、
前記リーダーライターの送受信端は、前記真珠の形状に合わせて冠球状に窪入形成されていることを特徴とする送受信システム。
【発明の詳細な説明】
【技術分野】
【０００１】
本発明は、品質の保証および出所の保証のために宝飾品に設けられる無線ＩＣタグおよびこれを用いた送受信システムに関する。
【背景技術】
【０００２】
従来、真珠においては、無線ＩＣモジュール（無線ＩＣタグ）を内蔵した真珠核をアコヤ貝等に核入して真珠を生産し、この無線ＩＣモジュールを用いて流通管理を行う流通管理方法が知られている（特許文献１参照）。この流通管理方法では、無線ＩＣモジュールのユニークＩＤおよびユニークＩＤ毎に真珠の管理情報をデータベースに登録しておき、管理サーバが、データベースを参照し、情報入力端末から送信されたユニークＩＤが付された真珠の生産から流通までを追跡可能とし、流通管理を行う。
この流通管理方法により、真珠の流通履歴（品質・出所の保証も含む）を容易に追跡できるようになっている（トレーサビリティの向上）。
【０００３】
他にも、データを記憶させたＩＣチップが、装飾部の反対側のリング部の外周面側に露出した状態で取り付けられた指輪が知られている（特許文献２参照）。
この指輪をリーダーライターに近づけることで、ＩＣチップに記憶された情報をパソコンのモニター等に出力させて確認することができるようになっている。
【先行技術文献】
【特許文献】
【０００４】
【特許文献１】特開２００７−０９１４５３号公報
【特許文献２】特開２００９−０２８２２５号公報
【発明の概要】
【発明が解決しようとする課題】
【０００５】
しかし、上記のような流通管理方法では、真珠（宝飾品本体）の生産の初期段階から無線ＩＣモジュールが内蔵された原材料（真珠核）を扱うため、宝飾品として一般市場に出るまでに外的な衝撃や経時的な劣化等で無線ＩＣモジュールが故障（破損）してしまう場合や、宝飾品の加工中に無線ＩＣモジュールを破壊してしまう場合等の問題があった。また、上記した真珠では、不良品となって廃棄される真珠においては、無線ＩＣモジュールも同時に廃棄されることになる。
一方、上記した指輪では、目立たない位置であるとはいえＩＣチップが露出しているため、宝飾品としての美観が損なわれるという問題があった。
【０００６】
本願発明は、宝飾品の外観を損なうことなく、これに簡単に装着することができる無線ＩＣタグおよびこれを用いた送受信システムを提供することを課題とする。
【課題を解決するための手段】
【０００７】
本発明の無線ＩＣタグは、索状体を挿通するために宝飾品本体に貫通形成した貫通孔に装着される宝飾品用の無線ＩＣタグであって、情報を記憶するＩＣチップと、ＩＣチップに接続され、情報の送受信を非接触で行うためのアンテナと、ＩＣチップおよびアンテナを保持する保持部材と、を備え、保持部材は、索状体が挿通可能な状態で貫通孔に装着されることを特徴とする。
【０００８】
この構成によれば、宝飾品（店頭に並ぶ商品）となる直前の貫通孔が形成された宝飾品本体に対し、ＩＣチップおよびアンテナを保持した保持部材（無線ＩＣタグ）を装着するため、経時的な劣化等による故障や、宝飾品の加工過程での破壊により、ＩＣチップに記憶された情報が喪失することがない。また、宝飾品に加工する宝飾品本体のみを選択して無線ＩＣタグを装着可能であるため、不良品となって廃棄される宝飾品本体に無線ＩＣタグを装着してしまうことがない。これにより、識別が必要な宝飾品本体または宝飾品の流通履歴を確実に追跡することができる。
また、宝飾品本体に索状体を通すために形成した貫通孔に無線ＩＣタグを装着するため、宝飾品に加工された後に、無線ＩＣタグが外観に表れることがない。これにより、宝飾品（および宝飾部材）としての美しい外観を損なうことがない。
【０００９】
この場合、貫通孔は、円孔であり、保持部材は、貫通孔と同形の外径を有する円筒状に形成されていることが好ましい。
【００１０】
他にも、貫通孔は、円孔であり、保持部材は、断面が略半円の棒状に形成されていることが好ましい。
【００１１】
これらの構成によれば、貫通孔の内面に密着するように保持部材を装着でき、保持部材の軸心、または保持部材と貫通孔との間に、索状体を通すことができる。これにより、保持部材の外面と貫通孔の内面との摩擦により、保持部材を貫通孔に確実に固定することができ、また、保持部材（無線ＩＣタグ）が外観に表れることなく、宝飾品として違和感のない美しい外観を維持することができる。なお、保持部材は、接着剤を用いて貫通孔の内面に接着固定されることが好ましい。
【００１２】
また、この場合、ＩＣチップおよびアンテナは、保持部材に埋め込まれていることが好ましい。
【００１３】
この構成によれば、保持部材に保持されたＩＣチップおよびアンテナの脱落や剥離を防止することができる。また、外的な衝撃等によるＩＣチップの損傷（破壊、故障）や、ＩＣチップとアンテナとの接続部分の剥離等も防止することができる。
【００１４】
この場合、アンテナは、保持部材に巻回するように、保持部材に埋め込まれていることが好ましい。
【００１５】
他にも、アンテナは、索状体に沿うように、保持部材から外側に延在していることが好ましい。
【００１６】
また、他にも、ＩＣチップは、保持部材に埋め込まれて、アンテナは、保持部材の外面にパターニングされていることが好ましい。
【００１７】
これらの構成によれば、ＩＣチップに記憶された情報の送受信に必要なアンテナの大きさ（長さ）を十分に確保することができる。これにより、確実且つ適正な送受信を担保することができる。
【００１８】
本発明の送受信システムは、宝飾品は、宝飾品本体である真珠の複数個を索状体で連結した真珠商品であり、複数個の真珠のうちの少なくとも任意の１の真珠に装着された請求項１ないし７のいずれかに記載の無線ＩＣタグと、アンテナを介して、ＩＣチップに情報の読み書きを行うリーダーライターと、を備え、リーダーライターの送受信端は、真珠の形状に合わせて冠球状に窪入形成されていることを特徴とする。
【００１９】
この構成によれば、真珠に形成された貫通孔に対して無線ＩＣタグが装着されているため、無線ＩＣタグが装着された真珠は、無線ＩＣタグが装着されていない真珠と比較しても、なんら外観に相違がない。また、リーダーライターの送受信端は、真珠の形状に合わせて形成されているため、無線ＩＣタグの送受信距離が短い場合でも、最短距離にまで近づいた状態で情報の送受信を行うことができる。
【図面の簡単な説明】
【００２０】
【図１】第１実施形態に係る送受信システムの概略図（ａ）およびリーダーライターの読書き送受信部（送受信端）と真珠との送受信時の位置関係を模式的に示した説明図（ｂ）である。
【図２】無線ＩＣタグを装着した真珠の断面図等（ａ）および無線ＩＣタグの装着部分の断面拡大図（ｂ）である。
【図３】ＲＦＩＤチップの記憶領域の構成（ａ）およびリーダーライターの記憶手段に記憶した管理コードテーブル（ｂ）を示した説明図である。
【図４】ＲＦＩＤチップ、アンテナ、形成前の保持部材を示す模式図（ａ）および無線ＩＣタグ（ｂ）を示した模式図である。
【図５】第２実施形態に係る無線ＩＣタグを装着した真珠の断面図等（ａ）およびアンテナの形態を示した平面図である。
【図６】第３実施形態に係る無線ＩＣタグを装着した真珠の断面図等（ａ）および第４実施形態に係る無線ＩＣタグの部分拡大図（ｂ）である。
【発明を実施するための形態】
【００２１】
以下、添付の図面を参照して、本発明に係る無線ＩＣタグを用いた送受信システムついて説明する。この送受信システムは、宝飾品として用いられる宝飾品本体に無線ＩＣタグを装着し、無線ＩＣタグに対し、各管理情報を読み取りまたは書き込みを行うことで、宝飾品および宝飾品本体の流通管理を行うものである。以降、宝飾品本体として「真珠」を、宝飾品として複数の真珠を糸（索状体）で連ねたネックレス様の真珠商品を、例に挙げて説明する。
【００２２】
送受信システム１の説明に先立ち、真珠２の一般的な流通経路および真珠２について簡単に説明する。真珠２は、真珠核２ａを核入れしたアコヤ貝等を養殖する養殖業者、浜上げされた真珠２の買い付けおよび選別を行う輸入業者、真珠２の加工を行う加工業者、真珠２の鑑別を行う鑑別業者、真珠２の仲買をする仲買業者、そして問屋を介して小売店に並ぶこととなる。なお、上記した流通経路は一例であり、これに限られるものではない。
【００２３】
真珠２は、厚肉の貝殻を球形に加工した真珠核２ａの表面に、０．８〜２．０ｍｍ程度の真珠層２ｂが積層して形成されている（図１（ｂ）参照）。一般的に、流通過程での取り扱いの容易さや、宝飾品６（ネックレス等、店頭に並ぶ商品）としての加工の容易さを考慮して、複数の真珠２を糸（索状体３）で束ねるために、真珠２には、糸通し穴（以降「貫通孔４」と呼ぶ。）が空けられる（図１（ｂ）参照）。貫通孔４は、真珠２の中心を通過して貫通した円孔であり（図２（ａ）参照）、貫通孔４には、索状体３が通されて４０珠程度の真珠２がひとまとめにされ（以降「中間宝飾品５」と呼ぶ。（図１（ａ）参照））、各業者間を流通する。なお、貫通孔４および索状体３の直径は、特に限定されることはないが、貫通孔４の直径は０．７〜１．２ｍｍ程度、索状体３の直径は０．３ｍｍ程度が、一般的である。
【００２４】
続いて、図１ないし図３を参照して、本実施形態（第１実施形態）に係る送受信システム１について説明する。図１（ａ）に示すように、送受信システム１は、真珠２に内蔵された無線ＩＣタグ１０と、無線ＩＣタグ１０に対し、必要な管理情報の読み書きを行うリーダーライター１１と、を備えている。
【００２５】
図２に示すように、無線ＩＣタグ１０は、いわゆるパッシブタイプのＲＦＩＤ（Radio Frequency Identification）タグであり、流通管理に必要な管理情報を記憶するＲＦＩＤチップ１２（無線ＩＣチップ）と、ＲＦＩＤチップ１２に記憶された各管理情報の送受信を非接触で行うためのアンテナ１３と、ＲＦＩＤチップ１２およびアンテナ１３を組み込むための保持部材１４と、を備えている。なお、詳細は後述するが、無線ＩＣタグ１０は、真珠２に貫通形成された貫通孔４に挿入され、固定されている。また、無線ＩＣタグ１０は、パッシブタイプに限定されず、アクティブタイプでもよい。
【００２６】
図３（ａ）に示すように、ＲＦＩＤチップ１２の記憶領域Ｍは、読み出し専用領域であるＲＯＭ領域Ｍ１と、読み書き可能な領域であるＲ／Ｗ領域Ｍ２と、を有している。ＲＯＭ領域Ｍ１には、予め「シリアルナンバー」が書き込まれる。
【００２７】
一方、Ｒ／Ｗ領域Ｍ２は、リーダーライター１１によって８項目の管理情報が、それぞれ所定領域に書き込まれる。具体的には、「核入れ日」、「核サイズ」、「浜上げ日」、「収穫地」、「養殖業者」、「真珠サイズ」、「加工履歴」および「流通経路」について書き込み可能となっている。但し、１度書き込みが行われたＲ／Ｗ領域Ｍ２内の領域については、上書き、書き換え、削除などの編集ができないようになっている。なお、ＲＦＩＤチップ１２の記憶容量には、制限があるため、各管理情報をコード化した情報（以下、「管理コード」と呼ぶ）を書き込むこととなる。また、上記した８項目の管理情報は、一例であり、これらに限られるものではない。
【００２８】
また、「収穫地」、「養殖業者」、「加工履歴（加工内容＋加工業者）」および「流通経路」の管理コードは、リーダーライター１１が有する管理コードテーブルに定義づけられている（図３（ｂ）参照）。図３（ａ）に示す例の場合、「核入れ日：２００７年７月３１日」、「核サイズ：１０．５〔ｍｍ〕」、「浜上げ日：２００８年１１月２５日」、「収穫地：タヒチ」、「養殖業者：Ａ真珠養殖」、「真珠サイズ：１２．５〔ｍｍ〕」、「加工履歴：鈴木真珠加工によって染色（黄色）」といった管理情報が書き込まれている。なお、無線ＩＣタグ１０は、真珠２に穴あけ（貫通孔４の形成）が行われた後、その貫通孔４に挿入装着するため、加工業者以降の流通経路に携わる者が、各管理情報を入力することとなるが、仲買業者が入力することが好ましい。
【００２９】
図１（ａ）に示すように、リーダーライター１１は、無線ＩＣタグ１０への必要な管理情報の読み出しおよび書き込みを行う読書き送受信部１５と、管理コードを記憶した記憶手段１６（図３（ｂ）参照）と、必要な管理情報を入力する入力手段１７（キーボード等）と、入力手段１７によって入力された管理情報や読み取った管理情報を表示する表示手段１８（液晶ディスプレイ等）と、を備えている。リーダーライター１１は、読書き送受信部１５（送受信アンテナ）を介して制御信号や入力手段１７を介して入力した管理情報を含む電波を発信する。これにより、ＲＦＩＤチップ１２に記憶された管理情報の読み出しや、ＲＦＩＤチップ１２に対して管理情報の書き込みが行われる。
【００３０】
図１（ｂ）に示すように、読書き送受信部１５は、送受信アンテナ（図示省略）を内蔵した送受信端１９を有している。この送受信端１９の先端部分は、鋭角を為すように斜めに形成され、斜めに形成された面は、真珠２の表面（球面）に合わせて湾曲した曲面形状に形成されている。つまり、送受信端１９の先端部分は、真珠２の曲面に嵌合するかのごとく（冠球状に）窪入形成されている。これにより、送受信端１９の先端部分は、中間宝飾品５または宝飾品６における真珠２と真珠２との間に深く入り込むようになっている。このように形成された送受信端１９の先端部分を、真珠２の表面（球面）に近接（または接触）させると、送受信端１９の先端部分は、貫通孔４（索状体３）の近くに臨み、読書き送受信部１５と無線ＩＣタグ１０のアンテナ１３との距離を最短にすることができる。これにより、無線ＩＣタグ１０の送受信距離が短い場合でも、無線ＩＣタグ１０とリーダーライター１１との間の送受信を確実に行うことができる。
【００３１】
記憶手段１６は、フラッシュメモリー等の不揮発性の半導体メモリーであり、上記した管理コードテーブルが記憶されている（図３（ｂ）参照）。また、各管理情報の入力履歴も記録される。なお、詳細な説明は省略するが、各管理情報の読み出し書き込み情報の照合等を行うソフトウェアが保存されているＲＯＭ、ソフトウェアの実行領域となるＲＡＭ、入力された管理情報を保存する補助記憶手段（ハードディスク等）を備えている。
【００３２】
続いて、図２および図４を参照して、無線ＩＣタグ１０について詳細に説明する。ＲＦＩＤチップ１２は、０．４〜０．７ｍｍ角、厚み０．０４ｍｍ程度に形成された電子回路部品である。アンテナ１３は、コイル状（螺旋状）に形成されており、ＲＦＩＤチップ１２に電気的に接続されている。
【００３３】
ＲＦＩＤチップ１２およびアンテナ１３を組み込む保持部材１４は、円筒状に形成された樹脂製の部材である。保持部材１４は、真珠２に開口した貫通孔４に挿入可能な直径（外径）（０．７〜１．２ｍｍ程度）に形成されている。また、保持部材１４の長さは、貫通孔４に装着した状態で真珠２の表面から突出しないように、真珠２の直径（３〜１９ｍｍ程度）よりも僅かに小さく（短く（２．８〜１８．８ｍｍ程度））形成されている。さらに、保持部材１４の内径は、０．４〜０．８ｍｍ程度に形成されており、上記した索状体３が挿通するようになっている（図１（ｂ）参照）。なお、保持部材１４は、真珠２の色と略同一色（同系色）であることが好ましい。これにより、真珠２に装着した保持部材１４（無線ＩＣタグ１０）が目立たないため、宝飾品６としての見た目を良好に維持することができる。
【００３４】
ＲＦＩＤチップ１２は、保持部材１４をモールド形成（射出形成）する際に、保持部材１４の軸方向（長手方向）略中央部分に配設される（図４（ａ）参照）。一方、アンテナ１３は、ＲＦＩＤチップ１２の両端、すなわち保持部材１４の軸方向外側に螺旋状に延在して配設されている（図４（ａ）参照）。そして、保持部材１４が、モールド形成されると、ＲＦＩＤチップ１２およびアンテナ１３は、保持部材１４の外径と内径との間に埋め込まれるようにして一体に形成される（図４（ｂ）参照）。したがって、モールド形成後の保持部材１４には、ＲＦＩＤチップ１２が埋設されると共に、保持部材１４に巻回するようにアンテナ１３が埋設されて、これにより、無線ＩＣタグ１０が構成される。
このように、ＲＦＩＤチップ１２は、保持部材１４に埋め込まれているため、外的な衝撃等によるＲＦＩＤチップ１２の損傷（破壊、故障）や脱落を防止することができ、これに記憶された各管理情報を適切に保護することができる。一方、アンテナ１３は、巻回することで長さを稼ぐことができ、無線ＩＣタグ１０とリーダーライター１１との間での必要な通信可能距離を確保することができる。また、ＲＦＩＤチップ１２およびアンテナ１３は、保持部材１４に埋設されて固定されているため、両者の接続部分の剥離（分離）を防止することができる。なお、ＲＦＩＤチップ１２の配設位置は、任意であり、保持部材１４の中央部分に限定されるものではない。
【００３５】
上記のようにして形成された無線ＩＣタグ１０は、真珠２の貫通孔４に挿入され、接着剤を用いて貫通孔４の内面に接着固定される。この無線ＩＣタグ１０は、一つの中間宝飾品５または一つの宝飾品６に用いられる複数の真珠２のうち、所定（または任意）の１珠または２珠に当該無線ＩＣタグ１０を装着される。
このように、宝飾品６となる直前の貫通孔４が形成された真珠２に対して装着されるため、経時的な劣化等による故障、染色や熱処理等の真珠２の加工過程や穴あけ作業等において、無線ＩＣタグ１０が損傷（破壊、故障）することがない。これにより、無線ＩＣタグ１０が加工過程等における損傷等により、ＲＦＩＤチップ１２に記憶された各管理情報が喪失することなく、且つ識別が必要な真珠２または宝飾品６（中間宝飾品５）の流通履歴を確実に追跡することができる。また、廃棄されるような不良品の真珠２を除外し、宝飾品６となる真珠２のみを選択して、この真珠２にのみ無線ＩＣタグ１０を装着することができる（歩留りの向上）。さらに、無線ＩＣタグ１０（保持部材１４）は、真珠２の直径と略同一長であるため、真珠２の外観に表れることなく、宝飾品６として違和感のない美しい外観を維持することができる。なお、貫通孔４の開口径と無線ＩＣタグ１０（保持部材１４）の外形とは、略同一径（および同一形状）であるため、接着剤を省略して、無線ＩＣタグ１０を貫通孔４に圧入固定してもよい。また、宝飾品６（中間宝飾品５）において、無線ＩＣタグ１０を装着する真珠２の数は、任意であり、複数の真珠２全てに無線ＩＣタグ１０を装着してもよい。
【００３６】
第１実施形態の送受信システム１における管理情報等の読み取りおよび書き込みについて簡単に説明する。管理情報等の読み取りは、先ず、リーダーライター１１から管理情報の取得要求等の制御信号（電波）が発信され、その制御信号を無線ＩＣタグ１０が受信することで行われる。無線ＩＣタグ１０は、制御信号において要求されたシリアルナンバーや各管理情報をリーダーライター１１に送信（返信）する。リーダーライター１１は、無線ＩＣタグ１０から送信された管理情報等を受信し、表示手段１８に表示することで、ユーザーに管理情報を提示する。
次に、管理情報等の書き込みは、先ず、ユーザーが入力手段１７を介して管理情報を入力し、リーダーライター１１から、入力された管理情報および制御信号を発信する。無線ＩＣタグ１０は、リーダーライター１１から発信された管理情報および制御信号を受信し、管理情報をＲ／Ｗ領域Ｍ２に書き込む。無線ＩＣタグ１０は、必要な処理（書き込み等）が終了すると、その処理結果を送信（返信）する。リーダーライター１１は、無線ＩＣタグ１０から送信された処理結果を受信し、表示手段１８に表示する。
【００３７】
なお、リーダーライター１１の記憶手段１６や補助記憶手段に、無線ＩＣタグ１０のシリアルナンバーを登録（記憶）しておき、リーダーライター１１は、無線ＩＣタグ１０から送信されたシリアルナンバーが記憶手段１６等に登録されている場合にのみ、各管理情報を表示手段１８に表示するようにしてもよい。
また、無線ＩＣタグ１０のＲ／Ｗ領域Ｍ２を省略して、無線ＩＣタグ１０には、シリアルナンバーのみをＲＯＭ領域Ｍ１に記憶し、一方、リーダーライター１１の記憶手段１６や補助記憶手段に、必要な管理情報を登録する構成としてもよい。この場合、無線ＩＣタグ１０から送信（返信）されたシリアルナンバーがリーダーライター１１の記憶手段１６等に登録されている場合に、そのシリアルナンバーと関連づけられて格納されている管理情報を参照することができる。
さらに、無線ＩＣタグ１０とリーダーライター１１とに、それぞれ同一の管理情報を登録しておき、各管理情報を相互に照合するようにしてもよい。
他にも、リーダーライター１１と、リーダーライター１１から入力された管理情報を管理する管理サーバー（図示省略）とをインターネット等のネットワークによって接続し、リーダーライター１１またはその他の情報参照端末により管理情報を参照可能に構成してもよい。また、管理情報を印刷出力するためのプリンターを備えた構成としてもよい。
【００３８】
以上の構成によれば、無線ＩＣタグ１０が、装着された真珠２と装着されていない真珠２とは、なんら外観に相違がなく、宝飾品６として違和感のない美しい外観を維持することができる。また、リーダーライター１１の送受信端１９は、真珠２の形状に合わせて形成されているため、無線ＩＣタグ１０の送受信距離が短い場合でも、最短距離にまで近づいた状態で情報の確実な送受信を行うことができる。なお、上述の第１実施形態では、宝飾品本体として真珠２を、また宝飾品としてネックレス様の真珠商品を、例に挙げて説明したが、宝飾品本体および宝飾品は、これらに限定されたものではない。
【００３９】
次に、図５を参照して、第２実施形態に係る送受信システム１に用いる無線ＩＣタグ１０について説明する。この無線ＩＣタグ１０における保持部材１４は、断面が略半円の棒状に形成されている。すなわち、図５（ａ）において、貫通孔４の上半分に保持部材１４が装着されている。このため、保持部材１４と貫通孔４との間、つまり、貫通孔４の下半分には、索状体３を通すことができる。この場合、図５（ｂ）に示すように、アンテナ１３は、平面視、折り返すように蛇行させて配設し、保持部材１４に埋め込むようにする。これにより、第１実施形態と同様、保持部材１４を貫通孔４に確実に固定することができると共に、保持部材１４（無線ＩＣタグ１０）が外観に表れないため、宝飾品６として美観を保つことができる。なお、その他の構成は、第１実施形態と同様であるため、説明は省略する。
【００４０】
次に、図６（ａ）を参照して、第３実施形態に係る送受信システム１に用いる無線ＩＣタグ１０について説明する。この無線ＩＣタグ１０におけるアンテナ１３は、貫通孔４を挿通する索状体３に沿うように保持部材１４の外側に延在し、隣接する真珠２の貫通孔４を挿通している。このアンテナ１３は、無線ＩＣタグ１０が装着されている真珠２の両側に位置する複数の真珠２（１〜４珠程度）に延在している。すなわち、アンテナ１３が、あたかも複数の真珠２を連ねる索状体３のごとく形成されている。これにより、管理情報の送受信に必要なアンテナ１３の大きさ（長さ）を十分に確保でき、より長い通信可能距離を確保することができる。なお、その他の構成は、第１実施形態と同様であるため、説明は省略する。また、第２実施形態に係る無線ＩＣタグ１０（保持部材１４）に対し、当該アンテナ１３を適用してもよい。
【００４１】
次に、図６（ｂ）を参照して、第４実施形態に係る送受信システム１に用いる無線ＩＣタグ１０について説明する。この無線ＩＣタグ１０におけるアンテナ１３は、保持部材１４に埋設せず、保持部材１４の外面（外周面）にパターニングされている。これにより、第１実施形態におけるアンテナ１３と同様に、確実且つ適正な送受信に必要なアンテナ１３長を確保することができ、また、アンテナ１３を保持部材１４に埋設するのに比べて、簡単且つ安価にアンテナ１３を配設することができる。なお、保持部材１４の内面（内周面）にパターニングしてもよい。また、その他の構成は、第１実施形態と同様であるため、説明は省略する。
【符号の説明】
【００４２】
１：送受信システム、２：真珠、３：索状体、４：貫通孔、６：宝飾品、１０：無線ＩＣタグ、１１：リーダーライター、１２：ＲＦＩＤチップ、１３：アンテナ、１４：保持部材、１９：送受信端
【図１】
2011070493.tif 000003
【図２】
2011070493.tif 000004
【図３】
2011070493.tif 000005
【図４】
2011070493.tif 000006
【図５】
2011070493.tif 000007
【図６】
2011070493.tif 000008